(57)【要約】【課題】読み取られた原稿画像の画質低下を低減しつつ、無駄な電力消費を低減すること。【解決手段】画像が記録された原稿（Ｇｉ）の幅方向全域に照射される照射光を発光する光源（１，１′）であって、発光する平面状の発光部（１ａ，１ａ′）を有し、前記原稿（Ｇｉ）の幅方向両端部に対応する前記発光部（１ａ，１ａ′）の発光面積（Ｓｂ）が、前記原稿の幅方向中央部に対応する前記発光部（１ａ，１ａ′）の発光面積（Ｓａ）に比べて大きい前記発光部（１ａ，１ａ′）を有する前記光源（１，１′）を備えたことを特徴とする原稿画像読取用照明装置（Ａ１，Ａ１′，Ａ１″）。【選択図】図５
2009239434.tif 000002
【特許請求の範囲】
【請求項１】
画像が記録された原稿の幅方向全域に照射される照射光を発光する光源であって、発光する平面状の発光部を有し、前記原稿の幅方向両端部に対応する前記発光部の発光面積が、前記原稿の幅方向中央部に対応する前記発光部の発光面積に比べて大きい前記発光部を有する前記光源、
を備えたことを特徴とする原稿画像読取用照明装置。
【請求項２】
コサイン４乗則に応じて、前記発光部の前記幅方向中央部から前記幅方向両端部に向かうに連れて前記発光面積が大きくなるように設定された前記光源、
を備えたことを特徴とする請求項１に記載の原稿画像読取用照明装置。
【請求項３】
発光する発光素子としての有機エレクトロルミネッセンス素子が平面状に配置された前記発光部を有する前記光源、
を備えたことを特徴とする請求項１または２に記載の原稿画像読取用照明装置。
【請求項４】
前記光源を支持する透明で平面状の透明基盤と、
前記発光部の外縁に沿って形成され且つ前記発光部から発光する前記照射光を透過する透過口と、前記透明基盤の外形に沿って設けられた遮光部とを有し、前記透明基盤と前記原稿との間に配置された遮光部材と、
を備えたことを特徴とする請求項１ないし３のいずれかに記載の原稿画像読取用照明装置。
【請求項５】
前記光源を支持する平面状の基盤であって、前記発光部の外縁に沿って形成され且つ前記発光部から発光する前記照射光を透過する透過部と、前記透過部の外方で前記基盤の外形に沿って形成され、前記発光部の外縁より外方に漏光することを防止する漏光防止部とを有する前記基盤、
を備えたことを特徴とする請求項１ないし４のいずれかに記載の原稿画像読取用照明装置。
【請求項６】
画像が記録された原稿の幅方向全域に前記照射光を照射する請求項１から５のいずれかに記載の原稿画像読取用照明装置と、
前記照射光が照射された前記原稿から反射した反射光を結像する結像部材と、
前記結像部材により結像された前記反射光を撮像する撮像部材と、
を備えたことを特徴とする画像読取装置。
【請求項７】
画像が記録された原稿の幅方向全域に前記照射光を照射して前記画像を読み取る請求項６に記載の画像読取装置と、
読み取られた前記画像を媒体に記録する画像記録装置と、
前記媒体を搬送する媒体搬送装置と、
を備えたことを特徴とする画像形成装置。
【発明の詳細な説明】
【技術分野】
【０００１】
本発明は、原稿画像読取用照明装置、画像読取装置および画像形成装置に関する。
【背景技術】
【０００２】
従来より、光源から照射された照射光を、プラテンガラス上の原稿で反射させ、反射された反射光を、反射ミラーで反射させて結像レンズで集束させて固体撮像素子で撮像することにより、前記原稿の画像を読み取る画像読取装置、いわゆる、スキャナが知られている。
前記画像読取装置では、前記結像レンズにより前記原稿からの反射光が集束されるため、コサイン４乗則により、前記原稿の幅方向の両端部に近付くほど前記反射光の光量が低下し、画像が暗くなった状態で撮像されることが知られている。なお、コサイン４乗則とは、前記固体撮像素子に入射する入射角、いわゆる、画角をθとし、入射前の光の照度をＬ０とし、入射後の光の照度をＬとした場合、前記照度Ｌが、以下の式（１）で示される法則のことである。
Ｌ＝Ｌ０ｃｏｓ４θ        …（１）
【０００３】
このため、前記画像読取装置では、前記幅方向両端部の反射光の前記照度Ｌに定数を積算することにより、前記幅方向両端部および前記幅方向中央部の反射光の各照度Ｌを同じにする処理、いわゆる、シェーディング処理や、前記結像レンズに対して、前記反射光の入射方向上流側に遮光板を配置し、前記幅方向中央部の反射光を遮光することにより、前記幅方向両端部および前記幅方向中央部の反射光の各照度Ｌを同じにする処理、いわゆる、サジタルストップが一般的に行われている。
すなわち、従来公知の前記画像読取装置では、撮像されたノイズ成分も前記定数で増幅させる可能性がある前記シェーディング処理や、前記反射光が遮光されて前記幅方向中央部の絶対光量を落として前記光源のエネルギーの無駄を発生させる前記サジタルストップが行われることにより、前記幅方向両端部が暗くならないように前記画像を補正している。
【０００４】
また、近年、前記画像読取装置において、前記光源の小型化や、前記光源の消費電力や発熱量の低減のため、有機エレクトロルミネッセンス、いわゆる、有機ＥＬを用いた有機ＥＬ光源が採用され始めている。
前記有機ＥＬ光源を有する前記画像読取装置について、例えば、下記の特許文献１に記載の技術が知られている。
【０００５】
特許文献１としての特開２０００−１１５４７０号公報には、光源から照射された照射光を、原稿台ガラス（２）上の原稿（１）で反射させ、反射された反射光を、反射ミラー（６，７）で反射させ、結像レンズ（８）で集束させて光電変換素子（９）で原稿画像を読み取る原稿読取装置において、前記光源を、前記原稿（１）に対向する２つの発光領域を有する発光面（１２）と、前記２つの発光領域の挟部としてのスリット部（１３）とを有するコの字型のエレクトロルミネッセンスランプ、いわゆる、ＥＬランプ（１１）によって構成する技術が記載されている。
【０００６】
特許文献１には、前記発光面（１２）を、前記原稿（１）および前記原稿台ガラス（２）に対して平行に配置し、且つ、前記反射光を、前記スリット部（１３）から前記スリット部（１３）の垂直下方に設けられた前記反射ミラー（６）に導出することにより、前記原稿（１）において、前記スリット部（１３）の中央部を照明中心とする広範囲で一様な光量分布を形成させる技術が記載されている。
すなわち、特許文献１には、コサイン４乗則を考慮せず、前記２つの発光領域により、前記原稿（１）の幅方向および長さ方向の広範囲を同じ光量で照射する技術が記載されている。
【０００７】
【特許文献１】特開２０００−１１５４７０号公報（「０００３」、「０００４」、「００１４」〜「００１８」、図１〜図３、図６、図７）
【発明の開示】
【発明が解決しようとする課題】
【０００８】
本発明は、読み取られた原稿画像の画質低下を低減しつつ、無駄な電力消費を低減することを技術的課題とする。
【課題を解決するための手段】
【０００９】
前記技術的課題を解決するために、請求項１記載の発明の原稿画像読取用照明装置は、
画像が記録された原稿の幅方向全域に照射される照射光を発光する光源であって、発光する平面状の発光部を有し、前記原稿の幅方向両端部に対応する前記発光部の発光面積が、前記原稿の幅方向中央部に対応する前記発光部の発光面積に比べて大きい前記発光部を有する前記光源、
を備えたことを特徴とする。
【００１０】
請求項２に記載の発明は、請求項１に記載の原稿画像読取用照明装置において、
コサイン４乗則に応じて、前記発光部の前記幅方向中央部から前記幅方向両端部に向かうに連れて前記発光面積が大きくなるように設定された前記光源、
を備えたことを特徴とする。
【００１１】
請求項３に記載の発明は、請求項１または２に記載の原稿画像読取用照明装置において、
発光する発光素子としての有機エレクトロルミネッセンス素子が平面状に配置された前記発光部を有する前記光源、
を備えたことを特徴とする。
【００１２】
請求項４に記載の発明は、請求項１ないし３のいずれかに記載の原稿画像読取用照明装置において、
前記光源を支持する透明で平面状の透明基盤と、
前記発光部の外縁に沿って形成され且つ前記発光部から発光する前記照射光を透過する透過口と、前記透明基盤の外形に沿って設けられた遮光部とを有し、前記透明基盤と前記原稿との間に配置された遮光部材と、
を備えたことを特徴とする。
【００１３】
請求項５に記載の発明は、請求項１ないし４のいずれかに記載の原稿画像読取用照明装置において、
前記光源を支持する平面状の基盤であって、前記発光部の外縁に沿って形成され且つ前記発光部から発光する前記照射光を透過する透過部と、前記透過部の外方で前記基盤の外形に沿って形成され、前記発光部の外縁より外方に漏光することを防止する漏光防止部とを有する前記基盤、
を備えたことを特徴とする。
【００１４】
前記技術的課題を解決するために、請求項６記載の発明の画像読取装置は、
画像が記録された原稿の幅方向全域に前記照射光を照射する請求項１から５のいずれかに記載の原稿画像読取用照明装置と、
前記照射光が照射された前記原稿から反射した反射光を結像する結像部材と、
前記結像部材により結像された前記反射光を撮像する撮像部材と、
を備えたことを特徴とする。
【００１５】
前記技術的課題を解決するために、請求項７記載の発明の画像形成装置は、
画像が記録された原稿の幅方向全域に前記照射光を照射して前記画像を読み取る請求項６に記載の画像読取装置と、
読み取られた前記画像を媒体に記録する画像記録装置と、
前記媒体を搬送する媒体搬送装置と、
を備えたことを特徴とする。
【発明の効果】
【００１６】
請求項１に記載の発明によれば、本発明の構成を有しない場合に比べ、読み取られた原稿画像の画質低下を低減しつつ、無駄な電力消費を低減することができる。
請求項２に記載の発明によれば、本発明の構成を有しない場合に比べ、前記原稿から反射した反射光を結像した場合に、前記原稿の幅方向全域の画像を鮮明に読み取ることができる。
【００１７】
請求項３に記載の発明によれば、前記照射光の光量を維持しつつ、本発明の構成を有しない場合に比べ、前記光源の小型化、低消費電力化、低発熱量化ができる。
請求項４に記載の発明によれば、前記発光部の外縁より外方に漏光した光が乱反射等して、前記原稿に照射されることを防止でき、前記原稿の幅方向全域における光量分布が、前記発光部の形状に対応する分布にすることができる。
請求項５に記載の発明によれば、本発明の構成を有しない場合に比べ、前記発光部の外縁より外方に漏光した光が乱反射等して、前記原稿に照射されることを低減でき、前記原稿の幅方向全域における光量分布が、前記発光部の形状に対応する分布にし易くすることができる。
【００１８】
請求項６に記載の発明によれば、本発明の構成を有しない場合に比べ、読み取られた原稿画像の画質低下を低減しつつ、無駄な電力消費を低減することができる。
請求項７に記載の発明によれば、本発明の構成を有しない場合に比べ、前記媒体に記録される前記画像の画質低下を低減しつつ、無駄な電力消費を低減することができる。
【発明を実施するための最良の形態】
【００１９】
次に図面を参照しながら、本発明の実施の形態の具体例である実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２０】
図１は本発明の実施例１の画像形成装置の全体説明図である。
図１において、画像形成装置Ｕは自動原稿搬送装置Ｕ1と、これを支持し且つ上端に透明な原稿読取面ＰＧを有する画像形成装置本体Ｕ2とを備えている。
前記自動原稿搬送装置Ｕ1は、複写しようとする複数の原稿Ｇｉが重ねて収容される原稿給紙部ＴＧ1と、原稿給紙部ＴＧ1から給紙され前記原稿読取面ＰＧ上の原稿読取位置を通過して搬送される原稿Ｇｉが排出される原稿排紙部ＴＧ2とを有している。
前記画像形成装置本体Ｕ2は、利用者が画像形成動作開始等の作動指令信号を入力操作する操作部ＵＩと、露光光学系Ａ等を有する。
【００２１】
前記自動原稿搬送装置Ｕ1で原稿読取面ＰＧ上を搬送される原稿Ｇｉまたは手動で原稿読取面ＰＧ上に置かれた原稿Ｇｉからの反射光は、前記露光光学系Ａを介して、撮像部材の一例としての固体撮像素子ＣＣＤにより撮像されて、赤Ｒ、緑Ｇ、青Ｂの電気信号に変換される。
画像情報変換部ＩＰＳは、固体撮像素子ＣＣＤから入力される前記ＲＧＢの電気信号を黒Ｋ、イエローＹ、マゼンタＭ、シアンＣの画像情報に変換して一時的に記憶し、前記画像情報を所定の時期に潜像形成用の画像情報として潜像形成装置駆動回路ＤＬに出力する。
なお、原稿画像が単色画像、いわゆる、モノクロの場合は、黒Ｋのみの画像情報が潜像形成装置駆動回路ＤＬに入力される。
【００２２】
前記潜像形成装置駆動回路ＤＬは、図示しない各色Ｙ，Ｍ，Ｃ，Ｋの各駆動回路を有し、入力された画像情報に応じた信号を所定の時期に、各色毎に配置された潜像形成装置ＬＨｙ，ＬＨｍ，ＬＨｃ，ＬＨｋに出力する。
前記自動原稿搬送装置Ｕ1、前記原稿読取面ＰＧ、前記露光光学系Ａ、前記固体撮像素子ＣＣＤ、前記画像情報変換部ＩＰＳ等により、実施例１の画像読取装置（Ｕ1＋ＰＧ＋Ａ＋ＣＣＤ＋ＩＰＳ）が構成されている。
【００２３】
図２は実施例１の画像形成装置の要部拡大説明図である。
前記画像形成装置Ｕの重力方向中央部に配置された可視像形成装置Ｕｙ，Ｕｍ，Ｕｃ，Ｕｋはそれぞれ、Ｙ、Ｍ、Ｃ、およびＫの各色の可視像を形成する装置である。
潜像形成装置ＬＨｙ〜ＬＨｋの各潜像書込光源から出射した図示しないＹ，Ｍ，Ｃ，Ｋの潜像書込光は、それぞれ、回転する像保持体ＰＲｙ，ＰＲｍ，ＰＲｃ，ＰＲｋに入射する。なお、実施例１では、前記潜像形成装置ＬＨｙ〜ＬＨｋは、いわゆる、ＬＥＤ：Light Emitting Diodeアレイにより構成されている。
前記Ｙの可視像形成装置Ｕｙは、回転する像保持体ＰＲｙ、帯電器ＣＲｙ，潜像形成装置ＬＨｙ、現像装置Ｇｙ、転写器Ｔ１ｙ、像保持体清掃器ＣＬｙを有している。なお、実施例１では、前記像保持体ＰＲｙ、帯電器ＣＲｙ、像保持体清掃器ＣＬｙが、画像形成装置本体Ｕ２に対して一体的に着脱可能な像保持体ユニットとして構成されている。
前記可視像形成装置Ｕｍ，Ｕｃ，Ｕｋはいずれも前記Ｙの可視像形成装置Ｕｙと同様に構成されている。
【００２４】
図１，図２において、前記各像保持体ＰＲｙ，ＰＲｍ，ＰＲｃ，ＰＲｋはそれぞれの帯電器ＣＲｙ，ＣＲｍ，ＣＲｃ，ＣＲｋにより帯電された後、画像書込位置Ｑ１ｙ、Ｑ１ｍ，Ｑ１ｃ，Ｑ１ｋにおいて、前記潜像書込光により、その表面に静電潜像が形成される。前記像保持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて、現像装置Ｇｙ，Ｇｍ，Ｇｃ，Ｇｋの現像剤保持体の一例としての現像ロールＲ０ｙ，Ｒ０ｍ，Ｒ０ｃ，Ｒ０ｋに保持された現像剤により可視像の一例としてのトナー像に現像される。
その現像されたトナー像は、中間転写体の一例としての中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写器Ｔ1ｙ，Ｔ1ｍ，Ｔ1ｃ，Ｔ1ｋには、制御部Ｃにより制御される電源回路Ｅから所定の時期にトナーの帯電極性と逆極性の１次転写電圧が印加される。
【００２５】
前記各像保持体ＰＲｙ〜ＰＲｋ上のトナー像は前記１次転写器Ｔ1ｙ，Ｔ1ｍ，Ｔ1ｃ，Ｔ1ｋにより中間転写ベルトＢに１次転写される。１次転写後の像保持体ＰＲｙ，ＰＲｍ，ＰＲｃ，ＰＲｋ表面の残留物、付着物は、像保持体清掃器ＣＬｙ，ＣＬｍ，ＣＬｃ，ＣＬｋにより清掃される。清掃された前記像保持体ＰＲｙ，ＰＲｍ，ＰＲｃ，ＰＲｋ表面は、帯電器ＣＲｙ，ＣＲｍ，ＣＲｃ，ＣＲｋにより再帯電される。
【００２６】
前記像保持体ＰＲｙ〜ＰＲｋの上方には、上下移動可能且つ前方に引き出し可能な中間転写装置の一例としてのベルトモジュールＢＭが配置されている。前記ベルトモジュールＢＭは、前記中間転写ベルトＢと、中間転写体駆動部材の一例としてのベルト駆動ロールＲｄ、中間転写体張架部材の一例としてのテンションロールＲｔ、蛇行防止部材の一例としてのウォーキングロールＲｗ、従動部材の一例としてのアイドラロールＲｆおよび二次転写領域対向部材の一例としてのバックアップロールＴ２aと、前記１次転写器Ｔ1ｙ，Ｔ1ｍ，Ｔ1ｃ，Ｔ1ｋとを有している。そして、前記中間転写ベルトＢは、前記各ロールＲｄ，Ｒｔ，Ｒｗ，Ｒｆ，Ｔ２aにより構成される中間転写体支持部材の一例としてのベルト支持ロールＲｄ，Ｒｔ，Ｒｗ，Ｒｆ，Ｔ２aにより回転移動可能に支持されている。
【００２７】
前記バックアップロールＴ２aに接する中間転写ベルトＢの表面に対向して２次転写部材の一例としての二次転写ロールＴ２bが配置されており、前記各ロールＴ２a，Ｔ２bにより２次転写器Ｔ２が構成されている。また、２次転写ロールＴ２bおよび中間転写ベルトＢの対向する領域には２次転写領域Ｑ4が形成される。
前記１次転写領域Ｑ３ｙ，Ｑ３ｍ，Ｑ３ｃ，Ｑ３ｋで一次転写器Ｔ1ｙ，Ｔ1ｍ，Ｔ1ｃ，Ｔ1ｋにより中間転写ベルトＢ上に順次重ねて転写された単色または多色のトナー像は、前記２次転写領域Ｑ4に搬送される。
前記一次転写器Ｔ１ｙ〜Ｔ１ｋ、中間転写ベルトＢおよび二次転写器Ｔ２等により、実施例１の転写装置Ｔ１＋Ｔ２＋Ｂが構成されている。
前記像保持体ＰＲｙ〜ＰＲｋ、前記現像装置Ｇｙ〜Ｇｋ、前記転写装置Ｔ１＋Ｔ２＋Ｂ等により実施例１の画像記録装置（ＰＲｙ〜ＰＲｋ＋Ｇｙ〜Ｇｋ＋Ｔ１＋Ｔ２＋Ｂ）が構成されている。
【００２８】
前記可視像形成装置Ｕｙ〜Ｕｋの下方には、ガイド部材の一例としての左右一対のガイドレールＧＲが３段設けられており、前記ガイドレールＧＲには、給紙容器の一例としての給紙トレイＴＲ1〜ＴＲ3が前後方向に出入可能に支持されている。給紙トレイＴＲ1〜ＴＲ3に収容された媒体の一例としての記録シートＳは、媒体取出し部材の一例としてのピックアップロールＲpにより取り出され、媒体捌き部材の一例としてのさばきロールＲsにより１枚ずつ分離される。そして、記録シートＳは、媒体搬送路の一例であるシート搬送路ＳＨに沿って媒体搬送部材の一例としての複数の搬送ロールＲａにより搬送され、２次転写領域Ｑ４のシート搬送方向上流側に配置された転写領域搬送時期調節部材の一例としてのレジロールＲrに送られる。前記シート搬送路ＳＨ、シート搬送ロールＲａ、レジロールＲｒ等により媒体搬送装置（ＳＨ＋Ｒａ＋Ｒｒ）が構成されている。
【００２９】
前記レジロールＲｒは、前記中間転写ベルトＢに形成されたトナー像が２次転写領域Ｑ4に搬送されるのに時期を合わせて、前記記録シートＳを２次転写領域Ｑ4に搬送する。記録シートＳが前記２次転写領域Ｑ4を通過する際、前記バックアップロールＴ２aは接地され、２次転写器Ｔ２bには前記制御部Ｃにより制御される電源回路Ｅからトナーの帯電極性と逆極性の２次転写電圧が印加される。このとき、前記中間転写ベルトＢ上のトナー像は、前記２次転写器Ｔ２により記録シートＳに転写される。
２次転写後の前記中間転写ベルトＢは、中間転写体清掃器の一例としてのベルトクリーナＣＬbにより清掃される。
【００３０】
前記トナー像が２次転写された記録シートＳは、定着装置Ｆの加熱用定着部材の一例としての加熱ロールＦhおよび加圧用定着部材の一例としての加圧ロールＦpの圧接領域である定着領域Ｑ5に搬送され、前記定着領域を通過する際に加熱定着される。加熱定着された記録シートＳは、媒体排出部材の一例としての排出ローラＲhから媒体排出部の一例としての排紙トレイＴＲhに排出される。
なお、前記加熱ロールＦh表面には、記録シートＳの前記加熱ロールＦhからの離型性を良くするための離型剤が離型剤塗布装置Ｆaにより塗布されている。
【００３１】
前記ベルトモジュールＢＭの上方にはイエローＹ，マゼンタＭ，シアンＣ，黒Ｋの各現像剤を収容する現像剤補給容器の一例としての現像剤カートリッジＫｙ，Ｋｍ，Ｋｃ，Ｋｋが配置されている。各現像剤カートリッジＫｙ，Ｋｍ，Ｋｃ，Ｋｋに収容された現像剤は、前記現像装置Ｇｙ，Ｇｍ，Ｇｃ，Ｇｋの現像剤の消費に応じて、図示しない現像剤補給路から前記各現像装置Ｇｙ，Ｇｍ，Ｇｃ，Ｇｋに補給される。なお、実施例１では、前記現像剤として、磁性のキャリアと、外添剤が付与されたトナーとを含む二成分現像剤により構成されている。
【００３２】
図１において、前記画像形成装置Ｕは上側枠体ＵＦと下側枠体ＬＦとを有しており、上側枠体ＵＦには、前記可視像形成装置Ｕｙ〜Ｕｋおよび可視像形成装置Ｕｙ〜Ｕｋよりも上方に配置された部材、すなわち、ベルトモジュールＢＭ等が支持されている。
また、下側枠体ＬＦには、前記給紙トレイＴＲ1〜ＴＲ3を支持するガイドレールＧＲおよび前記各トレイＴＲ1〜ＴＲ3から給紙を行う前記給紙部材、すなわち、ピックアップロールＲp，さばきロールＲs，シート搬送ロールＲa等が支持されている。
【００３３】
図３は実施例１の画像読取装置の拡大説明図である。
図４は実施例１の原稿画像読取用照明装置の拡大説明図である。
図５は実施例１の有機ＥＬ光源および遮光部材の拡大説明図である。
図３〜図５において、実施例１の前記露光光学系Ａは、前記原稿Ｇｉの幅方向全域に照射光を照射する原稿画像読取用照明装置Ａ１と、前記原稿読取位置の原稿Ｇｉで反射された前記照射光の反射光を反射する原稿画像読取用反射装置Ａ２と、反射された前記反射光を結像する結像部材の一例としての結像光学系Ａ３とを有する。
【００３４】
実施例１の前記原稿画像読取用照明装置Ａ１は、図１および図３の実線および破線に示すように、前記原稿Ｇｉの長さ方向、すなわち、左右方向における左端部から右端部までスライド移動可能に支持された光源支持部材の一例としてのフルレートキャリッジＦＲＣを有する。実施例１の前記フルレートキャリッジＦＲＣの内部には、透明で平板状の透明基盤Ｋが支持されている。前記透明基盤Ｋの下側面には、前記照射光を発光する光源の一例としての有機ＥＬ光源１が支持されている。
【００３５】
図５において、実施例１の前記有機ＥＬ光源１は、発光する発光素子の一例としての有機ＥＬ素子が平面状に配置された発光部１ａを有している。実施例１の前記発光部１ａは、前後方向、すなわち、前記原稿の幅方向に沿って延びた状態で配置されている。なお、前記有機ＥＬ素子の構成等については、例えば、特許文献１等に記載されており、公知であるため、詳細な説明を省略する。
また、実施例１の前記発光部１ａは、前記発光部１ａの前記幅方向中央部から前記幅方向両端部に向かうに連れて、左右方向、すなわち、前記原稿Ｇｉの長さ方向の長さが直線的に長くなるように予め設定されている。
【００３６】
すなわち、前記発光部１ａは、図５に示すように、前記発光部１ａの幅方向中央部における前記長さ方向の最短距離である中央部最短距離をＬＡとし、前記発光部１ａの前記幅方向両端部における前記長さ方向の最長距離である両端部最長距離をＬＢとした場合に、ＬＢ＞ＬＡに予め設定されている。
したがって、実施例１の前記発光部１ａは、前記原稿Ｇｉの幅方向両端部に対応する前記発光部１ａの幅方向単位長Ｌ０当たりの発光面積Ｓｂが、前記原稿Ｇｉの幅方向中央部に対応する前記発光部１ａの前記幅方向単位長Ｌ０当たりの発光面積Ｓａに比べて大きくなっている。
【００３７】
また、実施例１の前記透明基盤Ｋの上面側には前記照射光を遮光する遮光部材２が支持されている。実施例１の前記遮光部材２は、前記発光部１ａの外縁に沿って形成され且つ前記発光部１ａから発光する前記照射光を透過する透過口２ａと、前記透明基盤Ｋの外形に沿って設けられた遮光部２ｂとを有する。
また、前記フルレートキャリッジＦＲＣの内部には、前記透明基盤Ｋの右側に対向して前記原稿Ｇｉに照射されずに右方に拡散した前記照射光を上方の前記原稿Ｇｉに向けて反射する角度で照射光反射板３が支持されている。さらに、前記透明基盤Ｋと前記遮光部材２との中間部には、反射光透過口４が形成されており、前記反射光透過口４の下方には、前記原稿Ｇｉで反射された前記照射光の反射光を左方の前記原稿画像読取用反射装置Ａ２に向けて反射する第１の反射光学系の一例としての第１反射ミラー６が支持されている。
【００３８】
また、実施例１の前記原稿画像読取用反射装置Ａ２は、図１および図３の実線および破線に示すように、左右方向における左端部から中央部まで、すなわち、前記フルレートキャリッジＦＲＣの半分の移動距離分だけスライド移動可能に支持された反射光学系支持部材の一例としてのハーフレートキャリッジＨＲＣを有する。実施例１の前記ハーフレートキャリッジＨＲＣには、前記第１反射ミラー６で反射された前記反射光を下方に反射する第２の反射光学系の一例としての第２反射ミラー７と、前記第２反射ミラー７の下方に配置されて、前記第２反射ミラー７で反射された前記反射光を右方の前記結像光学系Ａ３に向けて反射する第３の反射光学系の一例としての第３反射ミラー８とが支持されている。
さらに、実施例１の前記結像光学系Ａ３は、いわゆる、結像レンズにより構成されており、結像した前記反射光を右方の前記固体撮像素子ＣＣＤに入射させる。
【００３９】
（実施例１の作用）
前記構成を備えた実施例１の前記画像読取装置（Ｕ1＋ＰＧ＋Ａ＋ＣＣＤ＋ＩＰＳ）では、前記原稿Ｇｉが前記自動原稿搬送装置Ｕ1により前記原稿読取面ＰＧ上を搬送される場合、前記各キャリッジＦＲＣ，ＨＲＣを静止させた状態で、前記有機ＥＬ光源１の発光部１ａから前記原稿Ｇｉの幅方向全域に前記照射光を照射する。搬送される前記原稿Ｇｉの画像に応じた前記反射光は、前記反射光透過口４を通過し、前記各反射ミラー６〜８を介して、前記結像光学系Ａ３で縮小結像されて、前記固体撮像素子ＣＣＤで撮像される。
【００４０】
また、実施例１の前記画像読取装置（Ｕ1＋ＰＧ＋Ａ＋ＣＣＤ＋ＩＰＳ）では、手動で原稿読取面ＰＧ上に置かれた前記原稿Ｇｉから画像を読み取る場合、前記有機ＥＬ光源１の発光部１ａから前記原稿Ｇｉの幅方向全域に前記照射光を照射しながら、前記各キャリッジＦＲＣ，ＨＲＣを前記原稿Ｇｉの長さ方向にスライド移動、すなわち、スキャンさせる。このとき、前記反射光の光路長が同一となるように、前記有機ＥＬ光源１を支持する前記フルレートキャリッジＦＲＣを、前記原稿Ｇｉの長さ方向の左端部から右端部までスライド移動させると共に、前記ハーフレートキャリッジＨＲＣを、前記フルレートキャリッジＦＲＣの半分の移動距離である前記原稿Ｇｉの長さ方向の左端部から中央部までスライド移動させる。前記固体撮像素子ＣＣＤは、前記各キャリッジＦＲＣ，ＨＲＣのスライド移動に応じて移動する照射光が照射された領域の画像を順次撮像する。
【００４１】
よって、前記固体撮像素子ＣＣＤでは、前記結像レンズＡ３により、前記原稿Ｇｉからの前記反射光が結像、すなわち、前記反射光の光束が集束される。なお、実施例１の前記画像読取装置（Ｕ1＋ＰＧ＋Ａ＋ＣＣＤ＋ＩＰＳ）では、前記有機ＥＬ光源１の発光部１ａにおいて、図５に示す、前記原稿Ｇｉの幅方向両端部に対応する前記発光部１ａの幅方向単位長Ｌ０当たりの発光面積Ｓｂが、前記原稿Ｇｉの幅方向中央部に対応する前記発光部１ａの前記幅方向単位長Ｌ０当たりの発光面積Ｓａに比べて大きくなっている。
【００４２】
したがって、実施例１の前記画像読取装置（Ｕ1＋ＰＧ＋Ａ＋ＣＣＤ＋ＩＰＳ）は、前記発光部１ａにより、前記原稿Ｇｉの幅方向両端部に照射される前記照射光の光量が、前記原稿Ｇｉの幅方向中央部に照射される前記照射光の光量に比べて多くなっている。この結果、実施例１の前記画像読取装置（Ｕ1＋ＰＧ＋Ａ＋ＣＣＤ＋ＩＰＳ）は、前記結像レンズＡ３によって前記原稿Ｇｉからの前記反射光が結像されることにより、コサイン４乗則による影響を受けても、前記原稿Ｇｉの幅方向両端部の画像が、前記原稿Ｇｉの幅方向中央部の画像と同様に明るい状態で撮像される。この結果、実施例１の前記画像形成装置Ｕでは、従来公知の前記シェーディング処理や特許文献１等に比べ、読み取られた前記画像の画質低下が低減される。
【００４３】
また、前記構成を備えた実施例１の前記画像形成装置Ｕでは、前記有機ＥＬ光源１の発光部１ａには、前記有機ＥＬ素子が平面状に配置されている。したがって、実施例１の前記画像読取装置（Ｕ1＋ＰＧ＋Ａ＋ＣＣＤ＋ＩＰＳ）は、前記有機ＥＬ光源１が前記有機ＥＬ素子により構成されているため、従来公知の蛍光管等の管状光源等に比べ、前記照射光の光量を維持しつつ、光源の小型化、低消費電力化、低発熱量化が可能となる。
【００４４】
また、前記構成を備えた実施例１の前記画像形成装置Ｕでは、前記有機ＥＬ素子が平面状に配置されていれば、前記発光部１ａが構成可能であるため、前記各発光面積Ｓａ，Ｓｂについて、Ｓｂ＞Ｓａに設定されるように、前記発光部１ａの形状を自由に変形可能である。この結果、実施例１の前記画像読取装置（Ｕ1＋ＰＧ＋Ａ＋ＣＣＤ＋ＩＰＳ）は、前記発光部１ａの形状を、前記原稿Ｇｉの幅方向中央部から幅方向両端部に向かうに連れて光量が多くなるように設定することにより、従来公知の前記サジタルストップに比べ、無駄な電力消費が低減される。
【００４５】
さらに、前記構成を備えた実施例１の前記画像形成装置Ｕでは、前記有機ＥＬ光源１が前記透明基盤Ｋに支持されている。このため、前記発光部１ａで発光した前記照射光が、前記透明基盤Ｋと前記原稿読取面ＰＧとの間や、前記透明基盤Ｋ内で乱反射等する可能性があるが、実施例１の前記原稿画像読取用照明装置Ａ１では、前記透明基盤Ｋには、図４および図５に示す、前記遮光部材２が支持されている。すなわち、実施例１の前記画像読取装置（Ｕ1＋ＰＧ＋Ａ＋ＣＣＤ＋ＩＰＳ）では、前記透明基盤Ｋと前記原稿読取面ＰＧとの間に配置された前記遮光部材２により、前記透過口２ａを通過した前記照射光が前記原稿Ｇｉに照射されると共に、前記発光部１ａの外縁より外方に漏光した光が、前記遮光部２ｂにより遮光される。
【００４６】
この結果、前記発光部１ａの外縁より外方に漏光した光が乱反射等して、前記原稿Ｇｉに照射されることが防止され、前記原稿Ｇｉの幅方向全域における光量分布が前記発光部１ａの形状に対応する分布となる。すなわち、前記発光部１ａの前記幅方向中央部から前記幅方向両端部に向かうに連れて多くなるように分布するようになる。
したがって、実施例１の前記画像読取装置（Ｕ1＋ＰＧ＋Ａ＋ＣＣＤ＋ＩＰＳ）では、前記遮光部材２の遮光部２ｂにより、前記透明基盤Ｋと前記原稿Ｇｉとの間に配置された前記遮光部材２が設けられていない場合に比べ、読み取り対象の前記画像の画質低下が低減される。
【実施例２】
【００４７】
図６は実施例２の原稿画像読取用照明装置の拡大説明図であり、実施例１の図４に対応する説明図である。
次に本発明の実施例２の画像形成装置Ｕの説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
図６において、実施例２の前記露光光学系Ａは、実施例１の原稿画像読取用照明装置Ａ１に替えて、原稿画像読取用照明装置Ａ１′を有する。
【００４８】
実施例２の前記原稿画像読取用照明装置Ａ１′は、実施例１のフルレートキャリッジＦＲＣに替えて、上端面が原稿読取面ＰＧの下面に沿った平面状に形成されたフルレートキャリッジＦＲＣ′を有する。
実施例２の前記フルレートキャリッジＦＲＣ′は、実施例１の前記フルレートキャリッジＦＲＣに比べ、前記反射光透過口４を挟んで対向する前記透明基盤Ｋおよび前記有機ＥＬ光源１と、前記照射光反射板３とが省略され、実施例２の反射光透過口４を挟んで、実施例２の基盤Ｋ′，Ｋ′および有機ＥＬ光源１′，１′が左右方向に対称となるように支持されている。
【００４９】
図７は実施例２の有機ＥＬ光源および基盤の拡大説明図である。
図７において、実施例２の前記有機ＥＬ光源１′，１′は、実施例１の前記発光部１ａに替えて、発光部１ａ′，１ａ′を有する。実施例２の前記発光部１ａ′，１ａ′は、コサイン４乗則に応じて、前記発光部１ａ′，１ａ′の前記幅方向中央部から前記幅方向両端部に向かうに連れて曲線的に長くなるように設定されている。また、実施例２の前記基盤Ｋ′，Ｋ′には、実施例１の前記遮光部材２が省略されており、前記発光部１ａ′，１ａ′の外縁に沿って形成され且つ前記発光部１ａ′，１ａ′から発光する前記照射光を透過する透過部１１，１１と、前記透過部１１，１１の外方で前記発光部１ａ′，１ａ′の外縁より外方に漏光する光を防止する漏光防止部１２，１２とを有する。
なお、実施例２の前記漏光防止部１２，１２は、例えば、透明のガラスが表面加工された、いわゆる、曇りガラスにより構成できる。また、例えば、黒色のシルク印刷により黒色化させることにより構成することも可能である。
【００５０】
実施例２の前記有機ＥＬ光源１′，１′は、前記発光部１ａ′，１ａ′が前記照射光を上方に向けて照射する。また、実施例２の前記原稿Ｇｉには、前記第１反射ミラー６の上方位置であり、且つ、前記発光部１ａ′，１ａ′どうしの中間位置である反射位置ＡＲ１が配置されている。
【００５１】
なお、実施例２では、前記発光部１ａ′，１ａ′どうしの距離としての第１距離Ｌ１が、３．０［ｍｍ］に予め設定されている。また、前記基盤Ｋ′，Ｋ′の反射光透過口４側端部から前記発光部１ａ′，１ａ′までの距離としての第２距離Ｌ２および第３距離Ｌ３が、０．５［ｍｍ］に予め設定されている。また、前記発光部１ａ′，１ａ′から前記原稿読取面ＰＧの下端面までの距離としての第４距離Ｌ４が、３．０［ｍｍ］に予め設定されている。また、前記原稿読取面ＰＧの上端面から下端面の距離、すなわち、前記原稿読取面ＰＧの厚さＬ５が、４．０［ｍｍ］に予め設定されている。
さらに、実施例２では、前記発光部１ａの幅方向中央部における前記長さ方向の最短距離である中央部最短距離がＬＡ′、前記発光部１ａの幅方向両端部における前記長さ方向の最長距離である両端部最長距離がＬＢ′に予め設定されている。
【００５２】
図８は反射ミラーおよび結像光学系による反射光の光路についての拡大説明図である。
図９は図８の反射光の光路の展開説明図である。
また、実施例２の前記露光光学系Ａでは、図８および図９の１点鎖線で示す、各反射ミラー６〜８および前記結像レンズＡ３を介して前記固体撮像素子ＣＣＤで撮像する範囲、すなわち、前記原稿Ｇｉの反射位置ＡＲ１の幅方向の長さＬ６が、Ａ３用紙の長さである２９７［ｍｍ］に応じて、３００［ｍｍ］に予め設定されている。また、前記原稿読取面ＰＧから前記固体撮像素子ＣＣＤまでの光路長Ｌ７が、４１０［ｍｍ］に予め設定されている。さらに、図９の１点鎖線で示す、前記原稿Ｇｉの反射位置ＡＲ１の幅方向外端部と前記結像レンズＡ３とを結ぶ直線と、図９の２点鎖線で示す、前記原稿Ｇｉの反射位置ＡＲ１の幅方向中央部と前記結像レンズＡ３とを結ぶ直線である前記反射光の光軸とがなす角度θが、２１．５°に予め設定されている。
【００５３】
（実施例２の作用）
前記構成を備えた実施例２の前記画像読取装置（Ｕ1＋ＰＧ＋Ａ＋ＣＣＤ＋ＩＰＳ）では、前記有機ＥＬ光源１′，１′の発光部１ａ′，１ａ′が前記照射光を上方に向けて照射する。このため、前記原稿Ｇｉにおいて、画像読取位置である前記反射位置ＡＲ１に照射される光量が最も多くなる。また、前記原稿Ｇｉの反射位置ＡＲ１の画像に応じた前記反射光は、前記反射光透過口４を通過し、前記各反射ミラー６〜８を介して、前記結像光学系Ａ３で縮小結像されて、前記固体撮像素子ＣＣＤで撮像される。
【００５４】
ここで、実施例２の前記画像読取装置（Ｕ1＋ＰＧ＋Ａ＋ＣＣＤ＋ＩＰＳ）では、前記結像レンズＡ３により前記原稿Ｇｉからの反射光が集束されるため、前記原稿Ｇｉの幅方向中央部から幅方向両端部に近付くほど、コサイン４乗則の影響を受けて、撮像される前記反射光の光量が低下する。例えば、前記原稿Ｇｉの反射位置ＡＲ１の幅方向両端部では、以下の式（２）により、前記結像光学系Ａ３に入射した後の光量が、前記結像光学系Ａ３に入射する前の光量の約７５［％］になることがわかる。
ｃｏｓ４θ＝（ｃｏｓ（２１．５°））４≒０．７５        …（２）
したがって、前記幅方向両端部の画像が、コサイン４乗則の影響を受けない前記幅方向中央部の画像と同様に明るい状態で撮像されるためには、以下の式（３）により、前記幅方向両端部の光量が、前記幅方向中央部の光量の約１．３３［倍］となる必要があることがわかる。
０．７５×１．３３≒１        …（３）
【００５５】
図１０は実施例２の画像読取装置における光学シミュレーション実験の実験結果の説明図であり、原稿の長さ方向における発光部の距離と原稿の反射位置の照度との関係を示す関係説明図であり、横軸に発光部の距離をとり、縦軸に発光部の距離が２ｍｍの照度を１とした場合に２ｍｍの照度に対する２ｍｍ以上の各距離の照度の比率である照度比をとった場合のグラフの説明図である。
図１０に示すように、実施例２の前記画像読取装置（Ｕ1＋ＰＧ＋Ａ＋ＣＣＤ＋ＩＰＳ）では、前記原稿Ｇｉの長さ方向における前記発光部１ａ′，１ａ′の距離、いわゆる、発光寸法をｘとし、ｘ＝２［ｍｍ］の場合の照度を１とし、ｘ＝２［ｍｍ］の照度に対する、ｘ≧２の任意の距離ｘの照度の比率である照度比をｙとした場合、前記距離ｘおよび前記照度比ｙについて、以下の近似式（４）が成立する。ここで、ｌｎ（ｘ）は、前記距離ｘの自然対数ｌｏｇｅｘである。
ｙ≒０．８×ｌｎ（ｘ）＋０．４６２        …（４）
【００５６】
この結果、例えば、前記中央部最短距離ＬＡ′が、２．０［ｍｍ］に設定された場合には、前記両端部最長距離ＬＢ′を、前記照度比ｙが約１．３３となる約３．０［ｍｍ］に設定することにより、前記幅方向両端部の画像が、前記幅方向中央部の画像と同様に明るい状態で撮像される。
その他、実施例２の前記画像読取装置（Ｕ1＋ＰＧ＋Ａ＋ＣＣＤ＋ＩＰＳ）は、実施例１の前記画像読取装置（Ｕ1＋ＰＧ＋Ａ＋ＣＣＤ＋ＩＰＳ）と同様の作用効果を奏する。
【実施例３】
【００５７】
図１１は実施例３の原稿画像読取用照明装置の拡大説明図であり、実施例２の図６に対応する説明図である。
次に本発明の実施例３の画像形成装置Ｕの説明を行うが、この実施例３の説明において、前記実施例２の構成要素に対応する構成要素には同一の符号を付して、その詳細な説明を省略する。この実施例３は、下記の点で前記実施例２と相違しているが、他の点では前記実施例２と同様に構成されている。
図１１において、実施例３の前記露光光学系Ａは、実施例２の原稿画像読取用照明装置Ａ１′に替えて、原稿画像読取用照明装置Ａ１″を有する。
【００５８】
実施例３の前記原稿画像読取用照明装置Ａ１″は、実施例２のフルレートキャリッジＦＲＣ′に替えて、前記基盤Ｋ′，Ｋ′および前記有機ＥＬ光源１′，１′を内部で支持するフルレートキャリッジＦＲＣ″を有する。
実施例３の前記基盤Ｋ′，Ｋ′および前記有機ＥＬ光源１′，１′は、前記反射光透過口４側端部が下方に傾斜した状態で対向して支持されている。また、実施例３の前記有機ＥＬ光源１′，１′は、前記発光部１ａ′，１ａ′が前記照射光を前記反射位置ＡＲ１に向けて照射する。
【００５９】
なお、実施例３では、前記基盤Ｋ′，Ｋ′および前記有機ＥＬ光源１′，１′と、前記原稿読取面ＰＧとのなす角度、すなわち、前記基盤Ｋ′，Ｋ′および前記有機ＥＬ光源１′，１′の傾斜角度αが、２０°に予め設定されている。また、実施例３では、前記発光部１ａ′，１ａ′から前記原稿読取面ＰＧの下端面までの距離としての前記第４距離Ｌ４は、前記発光部１ａ′，１ａ′が傾斜しているため、前記発光部１ａ′，１ａ′の前記距離ｘに応じて変化する。このため、実施例３の前記第４距離Ｌ４は、ｘ＝３．０［ｍｍ］の場合に、３．０［ｍｍ］となるように予め設定されている。すなわち、前記第４距離Ｌ４は、ｘ≦３．０［ｍｍ］の場合には、３．０［ｍｍ］以下となり、ｘ≧３．０［ｍｍ］の場合には、３．０［ｍｍ］以上となるように予め設定されている。
【００６０】
（実施例３の作用）
前記構成を備えた実施例３の前記画像読取装置（Ｕ1＋ＰＧ＋Ａ＋ＣＣＤ＋ＩＰＳ）では、前記有機ＥＬ光源１′，１′の発光部１ａ′，１ａ′が前記照射光を画像読取位置である前記反射位置ＡＲ１に向けて照射する。また、前記原稿Ｇｉの反射位置ＡＲ１の画像に応じた前記反射光は、前記反射光透過口４を通過し、前記各反射ミラー６〜８を介して、前記結像光学系Ａ３で縮小結像されて、前記固体撮像素子ＣＣＤで撮像される。
【００６１】
図１２は実施例３の画像読取装置における光学シミュレーション実験の実験結果の説明図であり、原稿の長さ方向における発光部の距離と原稿の反射位置の照度との関係を示す関係説明図であり、横軸に発光部の距離をとり、縦軸に発光部の距離が２ｍｍの照度を１とした場合に２ｍｍの照度に対する２ｍｍ以上の各距離の照度の比率である照度比をとった場合のグラフの説明図であり、実施例２の図１０に対応する図である。
また、図１２に示すように、実施例３の前記画像読取装置（Ｕ1＋ＰＧ＋Ａ＋ＣＣＤ＋ＩＰＳ）では、前記距離ｘおよび前記照度比ｙについて、以下の近似式（５）が成立する。
ｙ≒０．７４×ｌｎ（ｘ）＋０．５２        …（５）
【００６２】
この結果、例えば、前記中央部最短距離ＬＡ′が、２．０［ｍｍ］に設定された場合には、前記両端部最長距離ＬＢ′を、前記照度比ｙが約１．３３となる約３．０［ｍｍ］に設定することにより、前記幅方向両端部の画像が、前記幅方向中央部の画像と同様に明るい状態で撮像される。
その他、実施例３の前記画像読取装置（Ｕ1＋ＰＧ＋Ａ＋ＣＣＤ＋ＩＰＳ）は、実施例１，２の前記画像読取装置（Ｕ1＋ＰＧ＋Ａ＋ＣＣＤ＋ＩＰＳ）と同様の作用効果を奏する。
【００６３】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ06）を下記に例示する。
（Ｈ01）本発明は、電子写真方式の画像形成装置に限定されず、インクジェット記録方式の画像形成装置にも適用可能である。
（Ｈ02）本発明の前記画像記録装置（ＰＲｙ〜ＰＲｋ＋Ｇｙ〜Ｇｋ＋Ｔ１＋Ｔ２＋Ｂ）は、前記構成を備えた実施例１の画像形成装置Ｕへの適用に限定されず、例えば、プリンタ、ＦＡＸ、あるいはこれら複数の機能を備えた複合機等に適用することも可能である。
【００６４】
（Ｈ03）前記実施例１において、前記有機ＥＬ光源１は、前記発光部１ａに限定されず、例えば、実施例２の前記発光部１ａ′に置き換えることも可能である。
（Ｈ04）前記実施例１において、前記有機ＥＬ光源１の発光部１ａは、前記透明基盤Ｋに支持されているが、これに限定されず、例えば、実施例２の前記基盤Ｋ′に支持されることも可能である。
【００６５】
（Ｈ05）前記実施例１において、前記透明基盤Ｋと前記原稿Ｇｉとの間に前記遮光部材２を設けることが好ましいが、これを省略することも可能である。
（Ｈ06）前記実施例において、前記原稿Ｇｉの幅方向全域に照射される照射光を発光する光源を、平面状の前記発光部１ａ，１ａ′を有する前記有機ＥＬ光源１，１′により構成したが、これに限定されず、例えば、平面状の発光部を有する無機ＥＬ光源により構成したり、複数のＬＥＤを平面状に並べることにより構成することも可能である。
【図面の簡単な説明】
【００６６】
【図１】図１は本発明の実施例１の画像形成装置の全体説明図である。
【図２】図２は実施例１の画像形成装置の要部拡大説明図である。
【図３】図３は実施例１の画像読取装置の拡大説明図である。
【図４】図４は実施例１の原稿画像読取用照明装置の拡大説明図である。
【図５】図５は実施例１の有機ＥＬ光源および遮光部材の拡大説明図である。
【図６】図６は実施例２の原稿画像読取用照明装置の拡大説明図であり、実施例１の図４に対応する図である。
【図７】図７は実施例２の有機ＥＬ光源および基盤の拡大説明図である。
【図８】図８は反射ミラーおよび結像光学系による反射光の光路についての拡大説明図である。
【図９】図９は図８の反射光の光路の展開説明図である。
【図１０】図１０は実施例２の画像読取装置における光学シミュレーション実験の実験結果の説明図であり、原稿の長さ方向における発光部の距離と原稿の反射位置の照度との関係を示す関係説明図であり、横軸に発光部の距離をとり、縦軸に発光部の距離が２ｍｍの照度を１とした場合に２ｍｍの照度に対する２ｍｍ以上の各距離の照度の比率である照度比をとった場合のグラフの説明図である。
【図１１】図１１は実施例３の原稿画像読取用照明装置の拡大説明図であり、実施例２の図６に対応する説明図である。
【図１２】図１２は実施例３の画像読取装置における光学シミュレーション実験の実験結果の説明図であり、原稿の長さ方向における発光部の距離と原稿の反射位置の照度との関係を示す関係説明図であり、横軸に発光部の距離をとり、縦軸に発光部の距離が２ｍｍの照度を１とした場合に２ｍｍの照度に対する２ｍｍ以上の各距離の照度の比率である照度比をとった場合のグラフの説明図であり、実施例２の図１０に対応する図である。
【符号の説明】
【００６７】
１，１′…光源、
１ａ，１ａ′…発光部、
１１…透過部、
１２…漏光防止部、
２ａ…透過口、
２ｂ…遮光部、
２…遮光部材、
Ａ１，Ａ１′，Ａ１″…原稿画像読取用照明装置、
Ａ３…結像部材、
ＣＣＤ…撮像部材、
Ｇｉ…原稿、
Ｋ…透明基盤、漏光防止部材、
Ｋ′…基盤、
（ＰＲｙ〜ＰＲｋ＋Ｇｙ〜Ｇｋ＋Ｔ１＋Ｔ２＋Ｂ）…画像記録装置、
Ｓ…媒体、
Ｓａ，Ｓｂ…発光面積、
Ｓａ…原稿の幅方向中央部に対応する発光部の発光面積、
Ｓｂ…原稿の幅方向両端部に対応する発光部の発光面積、
（ＳＨ＋Ｒａ＋Ｒｒ）…媒体搬送装置、
Ｕ…画像形成装置、
（Ｕ1＋ＰＧ＋Ａ＋ＣＣＤ＋ＩＰＳ）…画像読取装置。
【図１】
2009239434.tif 000003
【図２】
2009239434.tif 000004
【図３】
2009239434.tif 000005
【図４】
2009239434.tif 000006
【図６】
2009239434.tif 000007
【図８】
2009239434.tif 000008
【図９】
2009239434.tif 000009
【図１０】
2009239434.tif 000010
【図１１】
2009239434.tif 000011
【図１２】
2009239434.tif 000012
【図５】
2009239434.tif 000013
【図７】
2009239434.tif 000014